(57)【要約】【課題】ターンテーブルの下方のモーターの回転軸部分に側圧を付与する部材を設けることなくモーターの回転軸に側圧を付与することで、部品点数を減らすとともに、モーター部分を薄型化した光ディスク装置を提供することである。【解決手段】光ディスク装置は、光ディスクが載置されるターンテーブル２７と、ターンテーブル２７とによって光ディスクを回転可能に挟持するクランパー２３と、ターンテーブル２７に係合する回転軸２ａを有するスピンドルモーター２と、クランパー２３のターンテーブル２７とは反対側の面をターンテーブル２７側へ回転軸２ａに対して斜めに押さえるクランププレート２４とを備える構成とする。【選択図】図２
2014044766.tif 000002
【特許請求の範囲】
【請求項１】
光ディスクが載置されるターンテーブルと、
前記ターンテーブルとによって光ディスクを回転可能に挟持するクランパーと、
前記ターンテーブルに係合する回転軸を有するモーターと、
前記クランパーの前記ターンテーブルとは反対側の面を前記ターンテーブル側へ前記回転軸に対して斜めに押さえる押さえ部材とを備えた光ディスク装置。
【請求項２】
前記押さえ部材が、前記クランパーを弾性を有して押さえることを特徴とする請求項１記載の光ディスク装置。
【請求項３】
前記押さえ部材が、前記クランパーの前記ターンテーブルとは反対側の面を横切る板状のクランププレートであることを特徴とする請求項１又は２記載の光ディスク装置。
【請求項４】
前記モーターを収容するローダーシャーシを備え、
前記クランププレートの両端がそれぞれローダーシャーシに支持されることを特徴とする請求項３記載の光ディスク装置。
【請求項５】
前記クランププレートの一端がバネを介して前記ローダーシャーシに支持されることを特徴とする請求項４記載の光ディスク装置。
【請求項６】
前記押さえ部材が、前記クランパーの前記ターンテーブルとは反対側の面を前記クランパーに対向する面の一端付近で押さえる板状の弾性体からなるクランプスプリングであることを特徴とする請求項１又は２記載の光ディスク装置。
【請求項７】
前記モーターを収容するローダーシャーシを備え、
前記クランプスプリングの他端がローダーシャーシに支持されることを特徴とする請求項６記載の光ディスク装置。
【発明の詳細な説明】
【技術分野】
【０００１】
本発明は、ＢＤ（Blu-ray Disc）、ＤＶＤ（Digital Versatile Disc）等の光ディスクに対して記録／再生を行う光ディスク装置に関する。
【背景技術】
【０００２】
光ディスクを再生したり、光ディスクに記録したりする光ディスク装置には様々な形態が提案されているが、どのような形態であっても光ディスクを回転させるモーターは必須の構成である。通常、モーターの回転軸にターンテーブルが固定されており、ターンテーブルとそれに対向するクランパーで光ディスクを挟持した状態で光ディスクを回転させる構造になっている。
【０００３】
このようなモーターにおいては、モーター内部に回転軸の軸受が備えられている。そして、モーターの駆動時には回転軸が常に軸受に接触していると、モーターの寿命が長くなるので好ましい。そのため、従来はターンテーブルの下方の回転軸部分に側方からの押圧（側圧）を付与するためのバネ部材等が配設されていた。このような構成では、バネ部材等を配置するための空間が必要なため、モーターの回転軸の長さを短くして装置を薄型化することが困難であった。
【０００４】
モーター、ターンテーブル及びクランパーの周辺の構成については、例えば特許文献１〜３に開示されているような構成がある。特許文献１には、クランプアームの先端に、ターンテーブル側へ屈曲された先端屈曲部を形成し、その際、その先端屈曲部のクランプアームに対する屈曲点がクランパーの重心位置よりも支点側へ所定寸法だけ偏位されているディスククランプ機構が開示されている。
【０００５】
また特許文献２には、ディスクをターンテーブルに対して圧着または開放するクランプリングと、このクランプリングを回転自在にかつ回転面の限定範囲内で軸線を移動可能に支持するとともに軸線方向に付勢する板バネと、この板バネを自由端に保持して固定ヒンジに枢支され蝶番式に開閉するクランプアームとを備え、クランプアームの自由端から延在方向に板バネを連結し、この板バネ部分によりクランプリングを屈曲自在に弾性支持したディスクプレーヤのディスククランプ機構が開示されている。
【０００６】
また特許文献３には、クランプアームの先端側部分を下方に屈曲形成するとともに、ディスク保持時には、クランプアームの先端側部分が載置部のディスク載置面と平行になるように、シャーシの支持軸の位置を設定したディスク再生装置が開示されている。
【先行技術文献】
【特許文献】
【０００７】
【特許文献１】特開２００６−３０２４２５号公報
【特許文献２】特開２００２−１５０６４４号公報
【特許文献３】特開平１０−２４１２４３号公報
【発明の概要】
【発明が解決しようとする課題】
【０００８】
しかしながら、特許文献１〜３ではモーターの回転軸に側圧を付与することについては触れられておらず、側圧を付与するような構成にもなっていない。すなわち、特許文献１〜３の構成によれば、クランパーがターンテーブル側へ垂直に押圧しているので、モーターの回転軸には軸方向にのみ力が加わることになる。
【０００９】
本発明は、ターンテーブルの下方のモーターの回転軸部分に側圧を付与する部材を設けることなくモーターの回転軸に側圧を付与することで、部品点数を減らすとともに、モーター部分を薄型化した光ディスク装置を提供することを目的とする。
【課題を解決するための手段】
【００１０】
上記目的を達成するために本発明の光ディスク装置は、光ディスクが載置されるターンテーブルと、前記ターンテーブルとによって光ディスクを回転可能に挟持するクランパーと、前記ターンテーブルに係合する回転軸を有するモーターと、前記クランパーの前記ターンテーブルとは反対側の面を前記ターンテーブル側へ前記回転軸に対して斜めに押さえる押さえ部材とを備えた構成とする。
【００１１】
上記の光ディスク装置において、前記押さえ部材が、前記クランパーを弾性を有して押さえることが好ましい。
【００１２】
また上記の光ディスク装置において、例えば、前記押さえ部材が、前記クランパーの前記ターンテーブルとは反対側の面を横切る板状のクランププレートであってもよい。
【００１３】
また上記の光ディスク装置において、前記モーターを収容するローダーシャーシを備え、前記クランププレートの両端がそれぞれローダーシャーシに支持されるようにしてもよい。
【００１４】
また上記の光ディスク装置において、前記クランププレートの一端がバネを介して前記ローダーシャーシに支持されることが好ましい。
【００１５】
また上記の光ディスク装置において、例えば、前記押さえ部材が、前記クランパーの前記ターンテーブルとは反対側の面を前記クランパーに対向する面の一端付近で押さえる板状の弾性体からなるクランプスプリングであってもよい。
【００１６】
また上記の光ディスク装置において、前記モーターを収容するローダーシャーシを備え、前記クランプスプリングの他端がローダーシャーシに支持されるようにしてもよい。
【発明の効果】
【００１７】
本発明によると、押さえ部材によってモーターの回転軸に斜め方向（軸方向以外の方向）の力が加えられる。モーター内部には回転軸の軸受が備えられており、この斜め方向の力によりモーターの駆動時には回転軸が常に軸受に接触している状態となる。回転軸と軸受が常に接触した状態で回転させることにより、回転軸がガタつかず、ブレが生じにくいので、モーターの寿命が長くなる。
【００１８】
また、従来はターンテーブルの下方のスピンドルモーターの回転軸部分に側方からの押圧（側圧）を付与する部材を設けていたが、本発明によれば、そのような部材を設けることなくモーターの回転軸に側圧を付与することができる。したがって、部品点数を減らすとともに、モーター部分を薄型化した光ディスク装置を提供することができる。
【図面の簡単な説明】
【００１９】
【図１】本発明の一実施形態の光ディスク装置の構成を示すブロック図である。
【図２】第１実施形態のドライブ装置の要部構成の分解斜視図である。
【図３】第１実施形態のドライブ装置の平面透過図である。
【図４】図３の要部構成の正面図である。
【図５】第２実施形態のドライブ装置の要部構成の斜視図である。
【図６】図５の平面図である。
【図７】図５の正面図である。
【発明を実施するための形態】
【００２０】
以下、光ディスク装置を横置き（水平姿勢）に設置した状態、すなわち光ディスクのレーベル面が上向きで水平に収納、排出される状態を基準に説明する。水平とは鉛直方向に垂直な方向とする。また光ディスクが排出される側を前側とする。
【００２１】
図１は、本発明の一実施形態の光ディスク装置の構成を示すブロック図である。光ディスク装置１は、光ディスク１５の情報の再生、及び光ディスク１５への情報の記録を行うことができる。２は、スピンドルモーターであり、光ディスク１５は、このスピンドルモーター２の上部に設けられるチャック部（ターンテーブル及びクランパー）に着脱可能に保持される。そして、光ディスク１５の情報の記録再生を行う際に、スピンドルモーター２は光ディスク１５を連続回転する。スピンドルモーター２の回転制御は、スピンドルモーター制御部３によって行われる。
【００２２】
４は、光ピックアップユニット（ＯＰＵ）であり、光源から出射される光ビームを光ディスク１５に照射し、光ディスク１５への情報の書き込みと、光ディスク１５に記録されている情報の読み取りを可能とする。
【００２３】
信号処理部８は、少なくともＲＦ信号処理部９とトラックエラー信号処理部１０とフォーカスエラー信号処理部１１とを含んでいる。そして、この信号処理部８において、光検出器（不図示）で変換された電気信号に基づいて、ＲＦ信号、トラックエラー信号（ＴＥ信号）、フォーカスエラー信号（ＦＥ信号）を生成する。ＲＦ信号はデータ復調部１２でデータに復調される。
【００２４】
ＴＥ信号及びＦＥ信号は、アクチュエータ制御部７に出力される。アクチュエータ制御部７は、これらの信号に基づいて、対物レンズを移動可能とする図示しないアクチュエータに駆動信号を供給する。駆動信号が供給されたアクチュエータは、信号に基づいて各部を作動させて、対物レンズを光軸と平行な方向に移動して、光ディスク１５の記録面１５ａにフォーカスを追従させるフォーカス制御や対物レンズを光ディスク１５の半径方向と平行な方向に移動して光ビームのスポット位置を光ディスク１５に形成されるトラック位置に追従させるトラッキング制御を行う。
【００２５】
その他、レーザ制御手段５は、光ピックアップ４に備えられる半導体レーザから成る光源（不図示）のレーザ出力を制御する。また、全体制御部１３は、スピンドルモーター制御部３、レーザ制御部５、ビームエキスパンダ制御部６、アクチュエータ制御部７、信号処理部８、及びデータ復調部１２等を制御して、装置全体のコントロールを行う。
【００２６】
（第１実施形態）
図２は、光ディスク装置１における第１実施形態のドライブ装置の要部構成の分解斜視図、図３は、第１実施形態のドライブ装置の平面透過図、図４は、図３の要部構成の正面図である。
【００２７】
光ディスク装置１は外観を形成する装置本体の筐体内にドライブ装置２０を収容している。ドライブ装置２０は、ドライブ装置２０の各部材を収容するローダーシャーシ２１と、光ディスク１５を搬送する複数のローラー（不図示）と、光ディスクの搬送方向（前後方向）に略垂直な方向（上下方向）に旋回して昇降可能なトラバースアッシー２２と、水平方向に移動してトラバースアッシー２２を昇降（上下動）させるカムスライダー（不図示）と、ローラー及びカムスライダーを複数のギヤを介して駆動するモーター（不図示）と、光ディスク１５をレーベル面側からチャッキングするクランパー２３と、クランパー２３の上面を押さえるクランププレート２４と、クランププレート２４の一端とローダーシャーシ２１とを繋ぐバネ２５と、を備えている。
【００２８】
また、トラバースアッシー２２は、トラバースシャーシ２６と、ＯＰＵ（不図示）と、トラバースシャーシ２６に固定され、ＯＰＵを光ディスク１５の径方向（前後方向）に移動可能に支持する２本のガイドシャフト（不図示）と、ＯＰＵ駆動用のステッピングモーター（不図示）と、トラバースシャーシ２６に固定された光ディスク１５回転用のスピンドルモーター２と、スピンドルモーター２の回転軸２ａに係合して固定されたターンテーブル２７とを備えている。
【００２９】
クランパー２３は、ローダーシャーシ２１の梁部２１ａに形成された開口部２１ｂを囲むリブ２１ｃに載置され、その上面がクランププレート２４によって押さえられることでローダーシャーシ２１に取り付けられている。そして、クランパー２３とターンテーブル２７とによって光ディスク１５が回転可能に挟持される。
【００３０】
クランププレート２４は、クランパー２３のターンテーブル２７とは反対側の面（上面）を横切る板状の部材である。クランププレート２４の一端はバネ２５を介してローダーシャーシ２１の側部に支持され、他端は梁部２１ａに嵌合されて支持されている。また、他端の孔２４ａが梁部２１ａから上方へ突出したボス２１ｄに係合することで、クランププレート２４が位置決めされている。
【００３１】
また、クランププレート２４の一端と他端の上下方向の高さが異なっている。つまり、一端が他端より低いか、または一端が他端より高くなっている。例えば、クランププレート２４の他端を支持する部分の梁部２１ａの高さをクランププレート２４の一端を支持する部分より高く又は低くすればよい。
【００３２】
この構成とバネ２５の付勢により、クランププレート２４はクランパー２３を斜め下方向に押さえている。そして、クランパー２３が押さえられることによって、光ディスク１５、ターンテーブル２７及びスピンドルモーター２の回転軸２ａにも斜め下方向の力が加わる。このように、クランププレート２４にはクランパー２３の上面をターンテーブル２７側へ回転軸２ａに対して斜めに押さえる押さえ部材としての役割がある。
【００３３】
バネ２５は、クランププレート２４がクランパー２３を弾性を有して押さえるようにするための部材であり、クランププレート２４を下方へ引っ張る方向に付勢する。トラバースシャーシ２６は、その後端がローダーシャーシ２１に枢支され、係合するカムスライダーの移動によって昇降される。ターンテーブル２７は、光ディスク１５を載置し、クランパー２３とによって光ディスク１５を挟持する部材であり、スピンドルモーター２の回転軸２ａに嵌合することで固定されている。
【００３４】
上記構成の光ディスク装置において、光ディスク１５が挿入されると、モーターの駆動により光ディスク１５が光ディスク装置１内に搬送されるとともに、カムスライダーが移動してトラバースアッシー２２を上昇させる。これにより、クランパー２３とターンテーブル２７とが係合し、光ディスク１５がチャッキングされる。
【００３５】
光ディスク１５がチャッキングされると、カムスライダーへのモーターの駆動力伝達が解除されてカムスライダー及びトラバースアッシー２２が停止する。続いてステッピングモーターの駆動によりＯＰＵが所定位置に移動し、スピンドルモーター２により回転されている光ディスク１５に対して記録又は再生を行う。また、光ディスクを取り出す際には上記と逆の動作が行われる。
【００３６】
このように、第１実施形態のドライブ装置の構成によれば、クランププレート２４によってスピンドルモーター２の回転軸２ａに斜め方向（軸方向以外の方向）の力が加えられる。スピンドルモーター２内部には回転軸２ａの軸受が備えられており、この斜め方向の力によりスピンドルモーター２の駆動時には回転軸２ａが常に軸受に接触している状態となる。回転軸２ａと軸受が常に接触した状態で回転させることにより、回転軸２ａがガタつかず、ブレが生じにくいので、スピンドルモーター２の寿命が長くなる。
【００３７】
従来はターンテーブルの下方のスピンドルモーターの回転軸部分に側方からの押圧（側圧）を付与する部材を設けていたが、上述したように本発明によれば、そのような部材を設けることなくスピンドルモーター２の回転軸２ａに側圧を付与することができる。したがって、部品点数を減らすとともに、スピンドルモーター２部分を薄型化した光ディスク装置１を提供することができる。
【００３８】
（第２実施形態）
図５は、光ディスク装置１における第２実施形態のドライブ装置の要部構成の斜視図、図６は、図５の平面図、図７は、図５の正面図である。第１実施形態と異なる点は、押さえ部材にクランプスプリング３０を用いている点である。このドライブ装置の他の構成は第１実施形態と同様であるので同符号を付してその詳細な説明を省略する。
【００３９】
クランプスプリング３０は、板バネなど板状の弾性体からなり、クランパー２３に対向する面の一端付近で、クランパー２３のターンテーブル２７とは反対側の面（上面）を押さえている。クランパー２３の上面の中心が、図２に示したように突出しているので、その突出している部分をクランプスプリング３０の先端下面に当接させている。なお、図５〜図７ではローダーシャーシ２１の図示を省略しているが、クランパー２３は第１実施形態と同様にローダーシャーシ２１の梁部２１ａに取り付けられている。一方、クランプスプリング３０の他端はローダーシャーシ２１に支持されている。
【００４０】
また、クランプスプリング３０の一端側は下方へ曲がっており、クランパー２３に当接しているクランプスプリング３０の下面がクランパー２３に対して斜めに当接している。これにより、クランプスプリング３０はクランパー２３を斜め下方向に押さえている。そして、クランパー２３が押さえられることによって、光ディスク１５、ターンテーブル２７及びスピンドルモーター２の回転軸２ａにも斜め下方向の力が加わる。このように、クランプスプリング３０にはクランパー２３の上面をターンテーブル２７側へ回転軸２ａに対して斜めに押さえる押さえ部材としての役割がある。
【００４１】
このように、第２実施形態のドライブ装置の構成によれば、クランプスプリング３０によってスピンドルモーター２の回転軸２ａに斜め方向（軸方向以外の方向）の力が加えられる。したがって、第１実施形態と同様、スピンドルモーター２の寿命が長くなる。
【００４２】
さらに、第２実施形態においても第１実施形態で述べたように、部品点数を減らすとともに、スピンドルモーター２部分を薄型化した光ディスク装置１を提供することができる。
【００４３】
上記の各実施形態で例示したように、本発明の押さえ部材としては、クランパーのターンテーブルとは反対側の面をターンテーブル側へスピンドルモーターの回転軸に対して斜めに押さえる部材であればよい。そして、押さえ部材がクランパーを弾性を有して押さえることが好ましい。
【００４４】
また上記の各実施形態では、光ディスク装置を横置き（水平姿勢）に設置した状態について説明したが、本発明の光ディスク装置は縦置きに設置することもできる。
【００４５】
また上記の実施形態では、光ディスクを直接的に収納及び排出するディスクローディング機構を有する光ディスク装置を例に説明したが、本発明はクランパーによって光ディスクをチャッキングする光ディスク装置であれば適用できる。例えば、本発明は光ディスクを載置して搬送するトレイを用いて光ディスクを収納及び排出するディスクローディング機構を有する光ディスク装置にも適用できる。
【産業上の利用可能性】
【００４６】
本発明は、ＢＤ、ＤＶＤ、ＣＤ（Compact Disc）等の光ディスクを再生する再生装置や光ディスクに記録することもできる記録再生装置をはじめとする光ディスク装置に利用することができる。例えば、ＢＤ・ＤＶＤプレーヤー、ＢＤ・ＤＶＤレコーダー、テレビ一体型ＢＤ・ＤＶＤレコーダー、ＢＤ・ＤＶＤ記録再生装置搭載のパーソナルコンピューターなどが挙げられる。
【符号の説明】
【００４７】
１  光ディスク装置
２  スピンドルモーター
１５  光ディスク
２１  ローダーシャーシ
２３  クランパー
２４  クランププレート
２７  ターンテーブル
３０  クランプスプリング
【図１】
2014044766.tif 000003
【図２】
2014044766.tif 000004
【図３】
2014044766.tif 000005
【図４】
2014044766.tif 000006
【図５】
2014044766.tif 000007
【図６】
2014044766.tif 000008
【図７】
2014044766.tif 000009